(57)【要約】      （修正有）【課題】スピニングリールのスプールに、スプールに巻装されたテグスの外周面部位に巻回されてテグスのスプールからの外れ止めをする帯状のテグス保持具において、テグス保持具を取り外さないでもテグス先端部の確認ができるようにする。【解決手段】テグス保持具７は、表裏面全体に面ファスナーを構成し、面ファスナーは、一方側部８ａと他方側部８ｂとを有し、テグス保持具の基端部位には、テグス保持具の基端縁より先端側に位置する状態でテグス５の先端部を貫通することができる貫通孔７ｂが設けられ、テグス保持具を貫通孔部位まで剥がしても、テグス保持具がスプール４から外れないようにする。【選択図】図４
0003226207.tif 000002
【実用新案登録請求の範囲】
【請求項１】
釣用リールのスプールに、該スプールに巻装されたテグスの外周面部位に巻回されて該テグスのスプールからの外れ止めをする帯状のテグス保持具を設けるにあたり、該テグス保持具は、表面全体に面ファスナーを構成する一方側部が設けられ、裏面全体に面ファスナーの他方側部が設けられ、かつテグス保持具の先端部位には、該テグス保持具の基端縁より先端側に位置する状態でテグス先端部を貫通できる貫通孔が設けられていることを特徴とする魚釣用リールのスプールにおけるテグス保持具。
【請求項２】
貫通孔には、テグス保持具の基端縁側に向けて延びる縦向きの切り込みが設けられていることを特徴とする請求項１記載の魚釣用リールのスプールにおけるテグス保持具。
【請求項３】
貫通孔には、テグス保持具の幅方向に向けて延びる横向きの切り込みが設けられていることを特徴とする請求項２記載の魚釣用リールのスプールにおけるテグス保持具。
【請求項４】
面ファスナーは、表面側に設けられる一方側部が他方側部の起毛部に係止する係止部であることを特徴とする請求項１乃至３の何れか１記載の魚釣用リールのスプールにおけるテグス保持具。
【考案の詳細な説明】
【技術分野】
【０００１】
本考案は、魚釣りに使用する魚釣用リールのスプールにおけるテグス保持具の技術分野に関するものである。
【背景技術】
【０００２】
一般に、魚釣りが趣味として古くから行われており、この場合において、テグス（道糸、ライン）が巻装されたスプールを備えた釣用リールを用いて魚釣りをすることがある。このような釣用リールにおいて、スプールに巻装するテグスとしては、一般に、ポリエチレン（ＰＥ）樹脂製の繊維の複数本を撚り（縒り）合わせた撚糸のものか、ナイロン、フルオロカーボン等の合成樹脂素材からなる単糸（モノフィラメント）のものが選択して用いられる。そして釣用リールとしては、不使用時においてテグスが抜け出ないよう、スプールの外周やリール本体に設けられる糸止め部に抜け止め状に係止するように構成されているのが一般的である。
ところでテグスが撚糸である場合、該撚糸は曲げ痕（折れ痕、折れ癖）がつきづらいため、糸止め部に係止しても問題は殆どないが、前述した単糸であるような場合、該単糸は硬直性が高いため、糸止め部に折り曲がり状に係止した場合に、曲げ痕が残って直線性が損なわれてしまうという問題がある。
さらには釣用リールが、縦軸（前後方向軸）を軸心にしてスプールが回転するスピニングリールである場合、テグスの巻装力が弱かったり巻装量が多すぎたりしたような際に、テグス先端部を糸止め部に係止した状態であっても、該巻装されたテグスの表層部がスプールから抜け出る（外れ出る）ようなことがあり、このようになった場合、最早修復することは事実上無理であって、複数の釣用リールを持ち合わせているか、テグスが巻装された交換スプールを持ち合わせていないような場合には最早釣りをあきらめざるを得なくなる、という問題がある。
そこでスプールに巻装されたテグスの外周面部位に帯状のテグス保持具を巻回するようにして取り付け、これによってテグスを糸止め部に係止しいフリーの状態でもスプールに保持できるようにすると共に、テグス表層部の抜け止め防止ができるようにしたものが提唱されている（例えば特許文献１参照。）。
ところがこのものは、テグス保持具の表裏面の基端部と先端部に面ファスナーが設けられた帯状のものを、スプールに巻装されたテグスの外周面部位に巻回する状態で取り付けることによってテグスを糸止め部に係止しないフリー状態で、テグスがスプールから抜け出ないようにしてはいるものの、テグス保持具自体にテグス先端部を係止する糸止め部が設けられているため、単糸のテグスを係止した場合に形成される曲げ痕に対しての配慮がなされていないという問題があるうえ、面ファスナーがテグス保持具の両端縁部（または一端縁部）に設けられたものであるため、スプール径が合わない場合には、取り付けられないという問題もある。
そこでテグス保持具の先端部位にテグスの先端部を貫通するための貫通部を設けたものにすると共に、面ファスナーの一方側部をテグス保持具の表裏面の一方全体に施したものとし、これによってテグス先端部を糸止め部に係止しないもテグスの保持ができると共に、スプール径に自在に対応できるようにしたのが提唱されている（特許文献２参照。）。
【先行技術文献】
【特許文献】
【０００３】
【特許文献１】実公平３−２５５７４号公報
【特許文献２】特開２００１−２０４３１２号公報
【考案の概要】
【考案が解決しようとする課題】
【０００４】
ところがこのものは、貫通部が、面ファスナーにより面接着する部位よりも先端側に延出する状態で設けられているため、例えばテグス先端部の状態（例えばテグスの太さやテグス先端部の処理状態）を確認をしようとしたときに、面ファスナー部位を全て剥がした状態にしなければこれらの確認ができないことになる。ところがこのものは、テグスを確認しようとして面ファスナー部位を剥がすとテグス保持具はスプールから取り外された状態になるため、スプールあるいはテグス保持具が脱落しやすく、しかも目的とするテグスでなかった場合、該取り外されたテグス保持具をはじめからスプールに取り付ける作業が強いられることになって操作性に劣る等の問題があり、これらに本考案の解決すべき課題がある。
【課題を解決するための手段】
【０００５】
本考案は、上記の如き実情に鑑みこれらの課題を解決することを目的として創作されたものであって、請求項１の考案は、釣用リールのスプールに、該スプールに巻装されたテグスの外周面部位に巻回されて該テグスのスプールからの外れ止めをする帯状のテグス保持具を設けるにあたり、該テグス保持具は、表面全体に面ファスナーを構成する一方側部が設けられ、裏面全体に面ファスナーの他方側部が設けられ、かつテグス保持具の先端部位には、該テグス保持具の基端縁より先端側に位置する状態でテグス先端部を貫通できる貫通孔が設けられていることを特徴とする魚釣用リールのスプールにおけるテグス保持具である。
請求項２の考案は、貫通孔には、テグス保持具の基端縁側に向けて延びる縦向きの切り込みが設けられていることを特徴とする請求項１記載の魚釣用リールのスプールにおけるテグス保持具である。
請求項３の考案は、貫通孔には、テグス保持具の幅方向に向けて延びる横向きの切り込みが設けられていることを特徴とする請求項２記載の魚釣用リールのスプールにおけるテグス保持具である。
請求項４の発明は、面ファスナーは、表面側に設けられる一方側部が他方側部の起毛部に係止する係止部であることを特徴とする請求項１乃至３の何れか１記載の魚釣用リールのスプールにおけるテグス保持具である。
【考案の効果】
【０００６】
請求項１の考案とすることにより、スプールに巻装されたテグスを、テグス保持具により該テグスの先端部位を糸止め部に係止することなく、貫通孔に貫通させた曲げ痕がつかない状態で保持することができながら、面ファスナーがテグス保持具の表裏面全体に設けられていると共に、前記貫通孔がテグス保持具の基端縁より先端側に設けられている結果、スプール径に合わせて自在に対応できるだけでなく、テグスの状態を確認すべくテグス保持具を貫通孔部位まで剥がしたとしても、該部位よりも基端側部位が面接着状態に維持されるため、テグス保持具がスプールから外れてしまうことを防止できるうえ、該剥がした部位を接着するだけでそのまま元の面接着状態にすることができることになって操作性が向上する。
請求項２の考案とすることにより、貫通孔を基端側に向いた縦方向の切り込みにより拡張できることになって、小さい貫通孔でも無理なくテグス先端部を貫通できることになる。
請求項３の考案とすることにより、貫通孔を幅方向に向いた横方向の切り込みに縒りさらに拡張できることになって、小さい貫通孔でも無理なくテグス先端部を貫通できることになる。
請求項４の発明とすることにより、テグスが撚糸である場合に、貫通孔を貫通して表面側に出たテグスの先端部位がテグス保持具の表面側に設けられる一方側部の係止部に係止することになってテグス保持具がテグス先端部に表面側で連結された状態となり、これによってテグス保持具を弛みのない確りとした状態でスプールに巻回すことができることになる。
【図面の簡単な説明】
【０００７】
【図１】テグス保持具を取り付けた状態のスピニングリールの斜視図である。
【図２】スプールにテグス保持具を巻装した状態を示す要部断面側面図である。
【図３】（Ａ）（Ｂ）（Ｃ）はテグス保持具の正面図、側面図、自由状態としたときの斜視図である。
【図４】テグス保持具の先端側部位を貫通孔部位まで剥離した状態を示す斜視図である。
【考案を実施するための形態】
【０００８】
以下、本考案の実施の形態について、図面に基づいて説明する。図面において、１は釣用リールの一例であるスピニングリールであって、該スピニングリール１は、ハンドル２が設けられた本体部３と、該本体部３の先端部に縦軸周りに回転するべく設けられたスプール４と、該スプール４に巻装されたテグス５が係脱自在に係止するべく起倒自在に設けられるベール６と備え、ベール６にテグス５が係止する状態でハンドル２を回転することに連動してスプール４が回転してテグス５の巻装をし、ベール６を、テグスの係止を解除する状態に起立させることで、テグス５がスプール４から自由に抜け出ることができるようになっていること等は、何れも従来通りであり、以下、前記スプール４に巻装されたテグス５の外周面部位に設けられてテグス５のスプール４からの抜け止めをするテグス保持具７について詳述する。
尚、スプール４の外周面部には、テグス５の先端縁部を折れ曲がり状に係止して該テグス５の外れ止めをするための糸止め部４ａが設けられている。
【０００９】
前記テグス保持具７は帯状体のもので構成され、その表裏面全体に面ファスナー８が設けられている。前記テグス保持具７は、伸縮性はないか殆どないものの可撓性（屈曲性）がある合成樹脂材で形成され自然状態で円弧形状になるよう癖が付けられたものとなっており、その表面（外面）全体に面ファスナー８の一方側部８ａであって剛性がある係止側のフック部（係止部）が形成され、裏面（内面）全体に面ファスナーの他方側部８ｂであって柔毛状になった係止受け側の起毛部（係止受け部）が形成されたものとなっており、これによってテグス保持具７は、スプール４の径（テグス５の巻き量）によらず、該スプール４に巻装されたテグス５の外周部位に巻回した状態で表裏積層面部同士の面接着ができるようになっている。
【００１０】
テグス保持具７の基端部（スプール４に積層状（渦巻き状）に巻回したときに内側（軸心側）になる端部）には、該テグス保持具７の基端縁７ａよりは先端縁７ｅ側に位置する（偏倚した）状態で貫通孔７ｂが穿設されており、該貫通孔７ｂからテグス５の先端部を裏面側から表面側に貫通できるようになっている。
さらにテグス保持具７には、前記貫通孔７ｂから基端縁７ａ側に向けて延びる縦向きの切り込み７ｃと、幅方向両側に向けて延びる横向きの切り込み７ｄとが形成されていて、縦横方向の拡張が必要においてでき、これによってテグス５の先端部に加工が施されていたり、スナップリング等の部品が設けられたりしたものであっても、これらの貫通操作を容易に行うことができるようになっている。
【００１１】
叙述の如く構成された本考案の実施の形態において、スピニングリール１のスプール４に、該スプール４に巻装されたテグス５の外周面部位に巻回されて該テグス５のスプール４からの外れ止めをするべく設けられる帯状のテグス保持具７は、表裏面同士が面ファスナー８によって面接着されることになるが、該面ファスナー８は、互いに面接触する一方側部８ａ、他方側部８ｂが表裏面全体に設けられたものとなっており、しかもテグス保持具７の基端部位には、該テグス保持具７の基端縁７ａより先端側に位置する状態で貫通孔７ｂが形成されていて、テグス５先端部を貫通できるようになっている。
【００１２】
この結果、スプール４に巻装されたテグス５の外周面部にテグス保持具７を巻回するようにして設けることにより、該テグス５の先端部位を糸止め部４ａに係止することなく、貫通孔７ｂに貫通させた曲げ痕がつかない状態で保持することができることになるが、この場合に、面ファスナー８がテグス保持具７の表裏面全体に設けられていると共に、前記貫通孔７ｂがテグス保持具７の基端縁７ａより先端側に設けられている結果、テグス保持具７は、スプール４の径に合わせて自在に対応した状態でテグス５の外周面部に装着できるだけでなく、テグス５の状態を確認すべくテグス保持具７の先端縁７ｅ側から貫通孔７ｂ部位まで剥がしたとしても、該部位よりも基端側部位は面接着状態に維持されるため、テグス保持具がスプールから外れてスプール４とテグス保持具７とが離間してスプール４が脱落したりすることを防止できるうえ、該剥がした部位を戻して面接着するだけで、そのまま元の面接着状態にすることができることになって、作業性、操作性（取り扱い性）が向上する。
【００１３】
しかも貫通孔７ｂは、テグス保持具７の先端縁７ａ側に向けて延びる縦向きの切り込み７ｃと、幅方向に向けて延びる横向きの切り込み７ｄとが設けられているため、貫通孔７ｂは、これら切り込み７ｃ、７ｄにより相乗的に拡張できることになり、この結果、小さい貫通孔７ｂであっても、テグス５の先端部が、加工が施されたり、スナップリング等の部品が設けられたりして大きくなっていたとしても、無理なくテグス先端部を貫通できることになる。
【００１４】
しかもこの場合に、面ファスナー８は、表面側の一方側部８ａが係止部となり、裏面側の他方側部８ｂが起毛部となっているため、テグス５が撚糸であった場合に、該テグス５は表面側の一方側部８ａに係止（接着）することができ、この結果、貫通孔７ｂを貫通して表面側に延びたテグス５の先端部が、この一方側部８ｂに係止してテグス５とテグス保持具７とが一連状に連結した状態となる。このため、テグス保持具７は、テグス５と共に緊張した状態でスプール４のテグス外周面部に巻回できることになって、弛みのない確りとしたテグス保持具７のスプール４への取り付けができる。
一方、テグス保持具７を面ファスナー８を剥がして取り外した場合に、テグス保持具８は、テグス５の先端部に連結された状態になるため、テグス保持具７が不用意に脱落してしまうことも防止できることになる。
【産業上の利用可能性】
【００１５】
本考案は、魚釣用リールのスプールにおけるテグス保持具として利用することができる。
【符号の説明】
【００１６】
１  スピニングリール
４  スプール
４ａ  糸止め部
５  テグス
７  テグス保持具
７ａ  基端縁
７ｂ  貫通孔
７ｃ  縦向き切り込み
７ｄ  横向き切り込み
７ｅ  先端縁
８  面ファスナー
８ａ  一方側部
８ｂ  他方側部
【図１】
0003226207.tif 000003
【図２】
0003226207.tif 000004
【図３】
0003226207.tif 000005
【図４】
0003226207.tif 000006